(57)【特許請求の範囲】
【請求項１】
便室入口部の床部に設けられた基台と、この基台上に載置される、表面が凸面状に形成されかつ裏面が凹面状に形成された扉板とを備え、
前記基台は、基台の中心部における縦方向線を中心にして前記扉板とともに回動し、前記扉板は、前記便室の使用時には扉板表面を便室外に突出するよう回動して便室内空間を増大するとともに、前記便室の非使用時には前記扉板表面を便室内に向かうよう回動して便室内空間を減少し、
前記基台の中心部下方に、第１排水管の立上がり部と、この立上がり部の周囲に形成される拡開部と、内部に立上がり部と当接するスクレーパを有して前記立上がり部を覆う椀部と、を備える椀型トラップを設け、この椀型トラップは前記基台に形成した排水口に第２排水管を介して連絡し、前記基台側と前記椀部とは、基台の回動に伴い前記椀部を回動させる連接体により連接していることを特徴とするトイレ用回転ドア装置。
【発明の詳細な説明】
【０００１】
【産業上の利用分野】
本発明は、トイレ用のドア構造に関する。
【０００２】
【従来の技術】
従来、トイレ用のドアとしては、便室の入口部にヒンジにより取り付けられる平板状のドアを備えた構造のものが普及している。
【０００３】
しかし、このようなドア構造では、便室内の利用効率を向上する点については何等の配慮もなされていない。そこで、便室内の利用効率を向上するために、前記平板状のドアとは異なり、ドアの扉板を湾曲した形状（例えば横断面半円形状）に形成し、このドアの上方中央部に設ける回転軸によってドアを天井部から懸架し、上下方向軸線回りに回転するような構造のドアが考えられる。このような回転ドアとすることにより、便室を使用する際にはドアが扉板の突出部を便室外方へ向けた状態に回転して、便室内空間を増大するとともに、便室の非使用時には、ドアが扉板の突出部を便室内に向けた状態に回転して、便室内空間を減少するよう作用する。
【０００４】
【発明が解決しようとする課題】
しかし、このような回転ドアでは、ドアの重心は回転軸から離れて扉板側に位置するため、ドアを支持する回転軸には偏荷重がかかり、ドアの安定性が損なわれてしまう。
【０００５】
本発明は、前記事項に鑑みなされたものであり、スペースの有効利用を図れるトイレ用の回転ドアを、安定性の良好な構造として提供することを技術的課題とする。
【０００６】
また、スペースの有効理由を図れるトイレ用の回転ドアを安全性の高いドア構造とすることを技術的課題とする。また、スペースの有効理由を図れるトイレ用の回転ドアを備えるトイレ用回転ドア装置において、床部排水の良好な構造として提供することを技術的課題とする。
【０００７】
【課題を解決するための手段】
本発明は前記技術的課題を解決するため、以下の手段を採用した。すなわち、第一の構成として、便室入口部の床部に設けられた基台と、この基台上に載置される、表面が凸面状に形成されかつ裏面が凹面状に形成された扉板とを備える。
【０００８】
前記基台は、基台の中心部における縦方向線を中心にして前記扉板とともに回動し、前記扉板は、前記便室の使用時には扉板表面を便室外に突出するよう回動して便室内空間を増大するとともに、前記便室の非使用時には前記扉板表面を便室内に向かうよう回転して便室内空間を減少する。なお、前記基台は円盤状に形成することが望ましい。
【０００９】
また、第二の構成として、前記扉板に非常用の補助扉を設けた。この補助扉は、入口部の側壁と扉板との間が閉塞あるいは狭まった状態において、側壁に交錯することなく開放できる位置に形成されている。すなわち、便室の使用者あるいは管理者は、前記扉板が一回転するにあたり、入口部の側壁と扉板との間あるいは前記補助扉から便室に出入することができるようになる。前記補助扉板は、例えば、扉板の中央寄りに形成することができる。また、補助扉を前記扉板の両端寄りにそれぞれ形成するようにしてもよい。
【００１０】
第３の構成として、前記基台の中心部下方に、排水管の立上がり部と、この立上がり部の周囲に形成される拡開部と、内部に立上がり部と当接するスクレーパを有して前記立上がり部を覆う椀部と、を備える椀型トラップを設け、この椀型トラップは前記基台に形成した排水口と排水管を介して連絡し、前記基台側と前記椀部とは、基台の回動に伴い前記椀部を回動させる連接体により連接するよう構成した。前記排水口は前記基台の中心部に形成することが望ましいが、基台の任意の位置に形成することができる。
【００１１】
【作用】
便室の非使用時においては、扉板が基台の中心部における縦方向線を中心にして基台と共に扉板表面を便室内に向かうよう回転して、便室内空間を減少する状態となる。
【００１２】
便室の使用時においては、非使用時の扉板が基台と共に回転して扉板表面を便室外に突出させ、便室内空間が増大する状態となり、便室内は十分な広さを確保する。
【００１３】
このような扉板の回転に際しては、扉板は基台上に載置されているため、安定して回転することができる。また、扉板に非常用の補助扉を設けた場合、基台を回転させる動力機構の故障等により扉板が回転不能となったとしても、使用者（または管理者）は入口部の側壁と扉板との間あるいは補助扉から便室に出入りできるので、使用者が便室内に閉じ込められてしまうことはない。
【００１４】
また、基台の中心部下方に椀型トラップを設けた場合、基台の回動に伴い連接体と連接する椀部が回動し、椀部のスクレーパが立上がり部に付着する塵や水垢等を除去する。
【００１５】
【実施例】
以下、本発明の一実施例を図１〜図５に基づいて説明する。正面に入口部５を有する便室２が外壁３により形成されている。便室２内には、便器６が備え付けられている。
【００１６】
この便室２の入口部５を開閉する扉板１０は、表面１１が凸面形状をなすとともに裏面１２が凹面形状をなしている。また、前記扉板１０の裏面１２側には、手摺部１９が設けられている。
【００１７】
前記入口部５の床部は、円盤状の基台であるターンテーブル５０により形成されている。このターンテーブル５０は、図２に示すように、床に形成された凹所４０内に位置しており、ターンテーブル５０の上面が周囲の床面と面一となるように調整されている。ターンテーブル５０の周縁下部には、複数の車輪７０が設けられている。この車輪７０と対応する凹所４０内の段部４２には、車輪７０の回転軌道となるレール４３が設けられている。また、凹所４０内の床面４１は中心部に向かって下降傾斜するすり鉢状に形成されている。
【００１８】
前記ターンテーブル５０は、床に埋設固定されたモータ８０の駆動力によりターンテーブル５０の縦方向中心線を中心として回転するようになっている。すなわち、ターンテーブル５０の外縁と近接する床部にモータ８０が位置しており、このモータ８０の回転駆動力は駆動軸８１とこの駆動軸８１の先端に取り付けられた歯車８２を介して、ターンテーブル５０の周縁下面に形成されて歯車８２と噛合する凹凸部に伝達されている。前記モータ８０は、図示しない制御部（ＥＣＵ）からの信号により適宜正逆回転を行い、ターンテーブル５０を回転させることとなる。
【００１９】
前記ターンテーブル５０上には、図１に示すように、横断面半円状の扉板１０が固定載置されている。この扉板１０の中央部には、非常用の補助扉１５が設けられている。そして、補助扉１５は、図４に示すように、ヒンジ１６を支点として扉板１０の表面（凸面）方向に開放できるようになっている。なお、扉板１５には鍵機構を備える取手部１７が設けられている。
【００２０】
ターンテーブル５０の中心部には、排水口５５が形成されており、ターンテーブル５０の表面形状は前記中心部の排水口５５に向かって少許下降傾斜している。前記排水口５５の下方には排水管５７が垂下しており、排水口５５からの排水が凹所４０の中心部に設けられた椀型トラップ６０に導かれている。なお、椀型トラップ６０は排水本管と連絡する排水枝管５９と接続している。
【００２１】
前記椀型トラップ６０は、排水管の立上がり部６１と、この立上がり部６１の周囲に形成される拡開部６２と、内部に前記立上がり部６１と当接するスクレーパ６３を有して前記立上がり部６１を覆う椀部６４とを備えている。また、この椀部６４の頂部には、上端側をターンテーブル５０側と接続する連接体６７の下端が接続している。なお、連接部６７の上端は、前記ターンテーブル５０の排水口５５に取り付けられた目皿５３と接続している。そして、前記ターンテーブル５０が回転すると、連接体６７も回転して椀部６４を回転させ、スクレーパ６３が立上がり部６１に付着する塵や水垢等を除去するようになっている。
【００２２】
次に、本実施例の動作を説明する。便室２の非使用時においては、扉板１０は図１に示すように扉板表面１１を便室２内に向けた状態になっている。トイレ使用者はターンテーブル５０上に乗り、図示しないスイッチの操作によりターンテーブル５０を扉板１０とともに１８０度回転させ、図３に示すように扉板裏面１２が便室２内に向く状態とする。このとき、使用者はターンテーブル５０上に位置しているため、便室２内に入室できることとなる。便室２の使用後は、使用者は再びターンテーブル５０上に位置した状態でターンテーブル５０を１８０度回転させ、便室２外へ出る。前記ターンテーブル５０の回転方向は、右回りでも左回りでもよく、また、退室時には入室時の回転方向と同方向に回転させても、あるいは反対方向に回転させてもよい。
【００２３】
このようなターンテーブル５０の回転に伴い、排水口５５の目皿と連接する連接体６７が椀部６４を回転させ、椀部６４のスクレーパ６３は排水管の立上がり部６１に付着する塵や水垢等をしごき落とす。したがって、排水口５５やターンテーブル５０の周囲の溝からの排水は、椀型トラップ６０が塵等で詰まることはないため、排水枝管５９へ良好に排出することができる。
【００２４】
ここで、便室２の使用時にモータ８０の故障等によりターンテーブル５０が回転不能となった場合の動作を説明する。図３に示す扉板１０が入口部５を全て閉塞している状態でターンテーブル５０が動かなくなった際は、使用者は補助扉１５の鍵を外して図４に示すように補助扉１５を開放し、便室外へ退出することができる。また、ターンテーブル５０が回転している途中で故障した際（補助扉１５が外壁３が邪魔になり開放できない際）は、扉板１０はターンテーブル５０の半分を占有しているだけなので、扉板１０と外壁３との間には充分な空間が形成され、使用者はその空間から退室できる。すなわち、扉板１０がどの位置で故障停止したとしても、使用者は便室２内に閉じ込められることはない。
【００２５】
以上のように本実施例によれば、湾曲した扉板１０はターンテーブル５０に載置されているので、扉板の偏荷重はターンテーブル５０の複数の車輪７０に分散される。したがって、湾曲した扉板１０を安定して作動させることが可能となる。
【００２６】
また、扉板に非常用の補助扉を設け、扉板がどの位置にあっても便室内から退室できるようにしたので、スペースの有効理由を図れるトイレ用の回転ドアを安全性の高いドア構造とすることができる。
【００２７】
【発明の効果】
本発明は、扉板を基台上に載置し、扉板が基台とともに回転するようにしたので、スペースの有効利用を図れるトイレ用の回転ドアを、安定性の良好な構造とすることができる。
【００２８】
そして、基台に排水口を設けるとともに、この排水口に連絡するトラップ部を基台の回転の度毎に清掃する構造としたので、スペースの有効理由を図れるトイレ用の回転ドアを備えるトイレ用回転ドア装置において、床部排水の良好な構造を提供することができる。
【図面の簡単な説明】
【図１】本発明の一実施例における、図２のＡ−Ａ線の平断面図であり、便室非使用時を示す図
【図２】実施例の基台中心部における、縦断面図
【図３】図２のＡ−Ａ線の平断面図であり、便室使用時を示す図
【図４】図２のＡ−Ａ線の平断面図であり、補助扉を開放した状態を示す図
【図５】実施例の椀型トラップの縦断面図
【符号の説明】
２・・便室
３・・外壁
５・・入口部
６・・便器
１０・・扉板
１１・・（扉板）表面
１２・・（扉板）裏面
１５・・補助扉
１６・・ヒンジ
１９・・手摺部
４０・・凹所
４１・・床面
４３・・レール
５０・・ターンテーブル（基台）
５３・・目皿
５５・・排水口
５７・・排水管
５９・・排水枝管
６０・・椀型トラップ
６１・・立上がり部
６３・・スクレーパ
６４・・椀部
６７・・連接体
７０・・車輪
８０・・モータ
８１・・駆動軸
８２・・歯車
【図１】
0003553153.tif 000002
【図２】
0003553153.tif 000003
【図３】
0003553153.tif 000004
【図４】
0003553153.tif 000005
【図５】
0003553153.tif 000006